(57)【要約】      （修正有）【課題】スピーカのボックス内の余響音をなくし、音質を向上する。【解決手段】コ−ン紙を用いた特に低音用、あるいは中音用のスピ−カ−に関したものである。コ−ン紙を振動させるには、必ずエッジが必要であるがエッジの特性上、ボックス内の共鳴音をエッジが共振してしまい前方に出てしまう。このエッジの共振音を消さない限り、音質の向上は得られない。この共振音を消し、音質向上を得ようとした。そのために用いたのが、エッジカバ−である。エッジカバ−をエッジの前方、あるいは後方に取り付けることで、エッジから出る共振音を消すことができ、従来以上の音質向上に成功した。【選択図】図１
2007306533.tif 000002
【特許請求の範囲】
【請求項１】
スピ−カ−、あるいはスピ−カ−ボックスに取り付ける、エッジを覆うためのエッジカバ−（１）。
【請求項２】
スピ−カ−にエッジカバ−（１−１）、（１−２）を設けたエッジカバ−を設けたスピ−カ−。
【請求項３】
スピ−カ−ボックス（５）にボックスエッジカバ−（４）を設けたスピ−カ−ボックス。
【発明の詳細な説明】
【発明の詳細な説明】
【技術分野】
【０００１】
【０００２】本発明は、スピ−カ−に関した発明で、音のひずみを最小にする技術に関したもの。
【背景技術】
【０００３】スピ−カ−には、主にド−ム型、ホ−ン型、コ−ン型等がある。
コ−ン型スピ−カ−は、コ−ン紙を用いたスピ−カ−で、主に低音用のスピ−カ−であり、本発明はこのコ−ン型スピ−カ−に関したものである。
コ−ン型スピ−カ−は、音を発するためには、必ずエッジが必要である。
柔らかいエッジを取り付けることで、コ−ン紙は振動し音を発する。
又、このコ−ン型スピ−カ−は、前方同様に後方にも同量の音を発している。
そのために、スピ−カ−ボックスが必要となるが、ボックスにも密閉型とバスレフ型がある。
密閉型は、スピ−カ−の後方の音をボックス内に閉じこめる方式で、バスレフ型は、ボックスの後方板の反響音の一部分を前方に出す方法である。
ボックス内の音量に伴う音圧はすごいもので、多少の板厚では、板を振動させてしまう。
当然スピ−カ−自体にもこの音圧が掛かっている。
この音圧に負けない電磁力でスピ−カ−のコ−ン紙は駆動させていることではあるが、コ−ン紙の振動には必ず必要なエッジ部分にもボックス内の音圧が掛かっている。
どんな優秀なスピ−カ−であっても、ボックス内の反響音がエッジを共鳴させて前方にでてしまう。
この音は、一部分の音を強めたり逆に弱めたりするが、ほとんどのボックス内の反響音は雑響音のため雑音となって前方に出てしまうことになる。
従来では、この雑響音はすべてボックスの材質のためとされ、ボックス内の反響音を良くするために高価な材質を求めたものだが、それを用いることでかなり反響音はきれいになるが、エッジを共鳴させた事で出る音は一部分の音を強めたりあるいは弱めたりする。
エッジから出る音を消さない限り、前方の大事な音のひずみは無くならない、
つまり、エッジから出る反響音を消さない限り音質は向上しない。
以下、このエッジから出る音を余響音と言う。
従来のスピ−カ−では、これはさけられない。
【発明が解決しようとする課題】
【０００４】従来では、従来の技術に述べたエッジから出る余響音については、関心されたことはなくボックスの板の材質だけにこだわっていた。
余響音を良くするためには、高価な材質を求める事になるが、余響音は必ず出ている。
スピーカ−のエッジの内側、つまりコ−ン紙を覆うように金属製の円筒状の筒をあてがってスピ−カ−を鳴らすと、エッジからかなりの音を発しているのが確認できる。
そのほとんどは、ボックス内の余響音、つまり正規のスピーカ−の音では無く、ボックス内の反響音、つまり本発明の指摘する余響音である。
本発明は、余響音を無くする事で音質を向上させる事が課題で
【課題を解決するための手段】
【０００５】本発明の課題は余響音を無くす事である。
【０００６】そのために、エッジカバ−（１）、（１−１）、（１−２）、あるいはボックスエッジカバ−（４）を取り付けたのが、本発明である。
エッジカバ−（１）は、エッジ（２）の前方あるいは後方に取り付けるもので、従来のスピ−カ−に取り付けて使用する。
従来のスピ−カ−システムに取り付けることによって、ボックス内の余響音がエッジから出る音を遮断する。
【０００７】エッジカバ−（１−１）は、スピ−カ−のエッジ（２）の前方に取り付けたエッジカバ−であり、エッジカバ−（１−２）はスピ−カ−のエッジ（２）の後方に取り付けたエッジカバ−である。
図面では、エッジ（２）を取り付けたエッジカバ−（１−１）を主な例として示している。
【０００８】エッジカバ−（１）、（１−１）、（１−２）、には、その内側に吸音材を張り付ける事でエッジから出るボックスの余響音を消す効果を増す。
【０００９】ボックスカバ−（４）は、スピ−カ−ボックスにエッジを覆うように設けられたもので、その箇所を示す。
【発明を実施するための最良の形態】
【００１０】課題を解決するための手段で示した様に、スピ−カ−の主に低音用のコ−ン紙を振動させるための重要部分のエッジ部分を覆うエッジカバ−を設けたのが、本発明の形態である。
【実施例】
【００１１】課題を解決するための手段で述べたように、従来のスピーカ−システムに取り付けられるのが、エッジカバ−（１）である。
エッジカバ−（１）は単体であり、誰でも従来のスピ−カ−システムに取り付ける事で、音質向上を得る事が出きる。【００１２】スピ−カ−の前方にエッジカバ−を取り付けたのが、エッジ（１−１）である。
これもエッジカバ−（１）と同様である。【００１３】スピ−カ−の後方にエッジカバ−を取り付けたのが、エッジカバ−（１−２）である。
これもエッジカバ−（１）と同様である。【００１４】ボックスカバ−（４）は、スピーカ−のエッジ（２）を覆うように、スピ−カ−ボックスに設けられた箇所を示すところで、その箇所である。【００１５】本発明の（１）、（１−１）、（１−２）は同様のため、図面ではエッジカバ−（１）を取り付けた、エッジの前方にエッジカバ−を付けたスピ−カ−（１−１）を実施例で示している。
【発明の効果】
【００１６】実験で得た効果を示す。
本発明はコ−ン紙を用いたコ−ン型スピ−カ−の音質向上が目的だった。
主に、低音用のスピ−カ−音質効果が目的であるが、中音用のスピ−カ−に用いられても同様の効果を発揮する。
実験では、低音用のスピ−カ−を用いたのでその効果を示す。
従来は、一部分の周波数はエッジがバスレフ型の効果を出す為に強まり、迫力の利いた様に聞こえる感じがするが、音に透明感が感じられなかったが、エッジカバ−を付ける事で音に透明感が出た。
低音にもメリハリがあるが、従来は感じられなかったが、メリハリの利いた低音が得られた。
従来は、残響感の利いたこもった感じがしていたが、スッキリしたきれいな低音が得られた。
高価な材質のボックスを用いなくても、高音質の低音が得らた。
【図面の簡単な説明】
【図１】エッジカバ−（１）を付けた、エッジの前方にエッジカバ−を付けたスピ−カ−（１−１）、とエッジの後方にエッジカバ−を付けたスピ−カ−（１−２）を示す断面図である。
【図２】スピ−カ−ボックスに、ボックスカバ−（４）を設けたところを示す断面図である。
【図３】エッジカバ−を示す断面図である。
【符号に説明】
１    エッジカバ−
１−１  エッジの前方にエッジカバ−を付けたスピ−カ−
１−２  エッジの後方にエッジカバ−を付けたスピ−カ−
２    エッジ
３    コ−ン紙
４    ボックスカバ−
５    吸音材
【図１】
2007306533.tif 000003
【図２】
2007306533.tif 000004
【図３】
2007306533.tif 000005